(57)【要約】【課題】壁面に対する粘着力等の強度向上を行わせることを可能とし、簡易な取り付け方法により正しく装着可能であり、かつ、簡易な取り外し方法も可能とする耐震支持具を実現する。【解決手段】耐震支持具１は、壁面等の固定面５１側に取り付ける固定面側部具３と家具等の被支持体面５３に取り付ける被支持体面側部具５とからなり、縦クッション部１１と横クッション部１５により地震時の振動を吸収する。耐震支持具が二つの部材から構成されていることにより簡易に取り付け可能であり、被支持体面側部具が固定面側部具に一定の押圧力を作用させるために、粘着力の強度化が可能となった。また、ベース部引き剥がしネジ３１により簡易な取り外しも可能となった。【選択図】  図１
2010012023.tif 000002
【特許請求の範囲】
【請求項１】
壁面等の固定面に取り付ける固定面側部具と家具等の被支持体面に取り付ける被支持体面側部具とを備えた耐震支持具であって、
前記固定面側部具は、前記固定面に対向する縦支持面部と、前記縦支持面部に取り付けられて前記固定面に粘着固定又は接着固定させる縦クッション部とを有し、
前記被支持体面側部具は、前記被支持体面と粘着固定、接着固定又はネジ止めさせるベース部と、前記ベース部から起立し前記縦支持面部を前記固定面に押し付ける押圧部とを有し、
前記固定面側部具と前記被支持体面側部具との間に取付け時に結合可能とする結合部を設けた
ことを特徴とする耐震支持具。
【請求項２】
請求項１記載の耐震支持具であって、
前記固定面側部具は、前記縦支持面部と、前記被支持体面と前記被支持体面側部具を介して対向する横支持面部とが一体化された固定部と、前記横支持面部下部に取り付けられて前記被支持体面側部具に粘着固定又は接着固定させる横クッション部とを有し、
前記被支持体面側部具は、前記押圧部上端から前記固定面の反対側に横方向に延設され前記横クッション部を粘着固定又は接着固定させる天板部とを有する
ことを特徴とする耐震支持具。
【請求項３】
請求項１又は２に記載の耐震支持具であって、
前記被支持体面側部具は、前記押圧部の前記固定面方向に突設され、前記縦クッション部の押圧時の厚さを定める突き当て部を有する
ことを特徴とする耐震支持具。
【請求項４】
請求項１から３のいずれかに記載の耐震支持具であって、
前記被支持体面側部具は、前記横支持面部を前記固定面方向に押し付けるための前記天板部に起立形成された辺縁押圧部を有する
ことを特徴とする耐震支持具。
【請求項５】
請求項１から４のいずれかに記載の耐震支持具であって、
前記被支持体面側部具は、前記固定面側部具の幅方向の全体が前記押圧部の幅方向内に入るようにするために前記押圧部側面にガイド部を有する
ことを特徴とする耐震支持具。
【請求項６】
請求項１記載の耐震支持具であって、
前記固定面側部具は、前記縦支持面部中央部にネジ穴部と、前記ネジ穴に締めこまれ前記固定面側部具と前記被支持体面側部具をネジ止めにより結合する頭部付きの結合ネジとを有し、
前記被支持体面側部具は、前記押圧部の幅方向中央部に上方に開放され前記結合ネジを通して前記頭部を前記押圧部に対し固定面側部具の反対側に配置させるための係合溝部を有する
ことを特徴とする耐震支持具。
【請求項７】
請求項６記載の耐震支持具であって、
前記縦クッション部は、前記結合ネジを通すための貫通孔を有し、
前記押圧部と前記結合ネジ頭部との間にスペーサーを有する
ことを特徴とする耐震支持具。
【請求項８】
請求項１から７のいずれかに記載の耐震支持具であって、
前記被支持体面側部具は、前記押圧部の上部分を前記固定面側部具が入る間隔が広くなるような傾斜部を有する
ことを特徴とする耐震支持具。
【請求項９】
請求項１から８のいずれかに記載の耐震支持具であって、
前記ベース部の固定面側と対峙する辺縁に粘着固定又は接着固定の取り外しのために前記ベース部を前記被支持体面から引き離すためのベース部引き剥がしネジを設けた
ことを特徴とする耐震支持具。
【請求項１０】
請求項１から９のいずれかに記載の耐震支持具であって、
前記縦クッション部は、粘着固定させるための粘着固定面を有し、
前記粘着固定面を保護するため、二つ折りにした一部を前記粘着固定面に接する保護部と、前記二つ折りの他部が前記保護部の端より長く延長されて前記保護部を粘着固定面から剥離する際のつまみ部として作用する剥離紙を有する
ことを特徴とする耐震支持具。
【請求項１１】
請求項１０の耐震支持具であって、
前記剥離紙を一対備え、該一対の剥離紙は前記縦クッション部の中間部で前記二つ折りの折り線同士が対向するか又は一部重なって配され、前記つまみ部が前記粘着固定面の両側に突出する
ことを特徴とする耐震支持具。
【請求項１２】
壁面等の固定面に取り付ける固定面側部具と家具等の被支持体面に取り付ける被支持体面側部具とを備え、
前記固定面側部具は、前記固定面に対向する縦支持面部と、前記被支持体面と前記被支持体面側部具を介して対向する横支持面部とが一体化された固定部と、前記縦支持面部に取り付けられて前記固定面に粘着固定させる縦クッション部と、前記横支持面部下部に取り付けられて前記被支持体面側部具に粘着固定又は接着固定させる横クッション部とを有し、
前記縦クッション部は、粘着固定させるための粘着固定面と前記粘着固定面を保護するための剥離紙を有し、
前記被支持体面側部具は、前記被支持体面と粘着固定、接着固定又はネジ止めさせるベース部と、前記ベース部から起立し前記縦支持面部を前記固定面に押し付ける押圧部と、この押圧部上端から前記固定面の反対側に横方向に延設され前記横クッション部を粘着固定又は接着固定させる天板部とを有する耐震支持具であって、
前記ベース部を前記被支持体面に粘着固定、接着固定又はネジ止めして固定し、
前記縦クッション部を前記固定面に押し付けて圧縮し、前記被支持体面側部具の前記押圧部と前記固定面の隙間に上部から滑り込ませ、
前記固定面側部具の前記横クッション部を前記天板部に粘着固定又は接着固定させ、
前記縦クッション部の前記剥離紙をはがすことにより、前記縦クッション部を前記固定面に粘着固定させる
ことを特徴とする耐震支持具の取付方法。
【請求項１３】
壁面等の固定面に取り付ける固定面側部具と家具等の被支持体面に取り付ける被支持体面側部具とを備え、
前記固定面側部具は、前記固定面に対向する縦支持面部と、前記縦支持面部に取り付けられて前記固定面に粘着固定させる縦クッション部と、前記被支持体面側部具とを結合する結合ネジとを有し、
前記縦クッション部は、粘着固定させるための粘着固定面と前記粘着固定面を保護するための剥離紙を有し、
前記被支持体面側部具は、前記被支持体面と粘着固定、接着固定又はネジ止めさせるベース部と、前記ベース部から起立し前記縦支持面部を前記固定面に押し付ける押圧部と、前記押圧部の幅方向に上方に開放した係合溝部とを有する耐震支持具であって、
前記ベース部を前記被支持体面に粘着固定、接着固定又はネジ止めして固定し、
前記縦クッション部を前記固定面に押し付けて圧縮し、前記被支持体面側部具の前記押圧部と前記固定面の隙間に前記結合ネジが前記係合溝部に入るように上部から滑り込ませて前記固定面側部具と前記被支持体面側部具とを結合し、
前記縦クッション部の前記剥離紙をはがすことにより、前記縦クッション部を前記固定面に粘着固定させる
ことを特徴とする耐震支持具の取付方法。
【発明の詳細な説明】
【技術分野】
【０００１】
本発明は、地震などによる家具などの転倒防止等に供される耐震支持具及び取付方法に関する。
【背景技術】
【０００２】
従来、家具などの耐震支持具として例えば、固定片及び取付片と、この固定片及び取付片間のコイル・スプリングとからなり、固定片を粘弾性体により壁面に固定し、取付片を粘弾性体により家具の天板に取付けるようにしたものがある（特許文献１参照）。
【０００３】
地震時には、振動により家具に入力される動的荷重をコイル・スプリング及び粘弾性体が緩衝する。
【０００４】
しかし、この取付状態において、粘弾性体は壁面に対し単に粘着されているだけであるため、実際の地震時等に剥がれ易く、粘着力の強度向上が望まれている。
【０００５】
粘着力の強度向上には粘着固定面に均一な押圧力が作用することが重要であるが、従来の耐震支持具では、このような粘着固定面に押圧力をかけつづけることはできなかった。
【０００６】
又、取り付けの際に簡易に行える方法が望まれていたが、実現していなかった。
【特許文献１】特開２００８−４８７６５号公報
【発明の開示】
【発明が解決しようとする課題】
【０００７】
解決しようとする問題は、壁面に対する粘着力等の強度向上が望まれていた点と簡易な取り付けが望まれていた点である。
【課題を解決するための手段】
【０００８】
請求項１記載の本発明の耐震支持具は、壁面等の固定面に取り付ける固定面側部具と家具等の被支持体面に取り付ける被支持体面側部具とを備えた耐震支持具であって、前記固定面側部具は、前記固定面に対向する縦支持面部と、前記縦支持面部に取り付けられて前記固定面に粘着固定又は接着固定させる縦クッション部とを有し、前記被支持体面側部具は、前記被支持体面と粘着固定、接着固定又はネジ止めさせるベース部と、前記ベース部から起立し前記縦支持面部を前記固定面に押し付ける押圧部とを有し、前記固定面側部具と前記被支持体面側部具との間に取付け時に結合可能とする結合部を設けたことを最も主要な特徴とする。
【０００９】
請求項２記載の本発明の耐震支持具は、請求項１記載の耐震支持具であって、前記固定面側部具は、前記縦支持面部と、前記被支持体面と前記被支持体面側部具を介して対向する横支持面部とが一体化された固定部と、前記横支持面部下部に取り付けられて前記被支持体面側部具に粘着固定又は接着固定させる横クッション部とを有し、前記被支持体面側部具は、前記押圧部上端から前記固定面の反対側に横方向に延設され前記横クッション部を粘着固定又は接着固定させる天板部とを有することを主要な特徴とする。
【００１０】
請求項３記載の本発明の耐震支持具は、請求項１又は２に記載の耐震支持具であって、前記被支持体面側部具は、前記押圧部の前記固定面方向に突設され、前記縦クッション部の押圧時の厚さを定める突き当て部を有することを主要な特徴とする。
【００１１】
請求項４記載の本発明の耐震支持具は、請求項１から３のいずれかに記載の耐震支持具であって、前記被支持体面側部具は、前記横支持面部を前記固定面方向に押し付けるための前記天板部に起立形成された辺縁押圧部を有することを主要な特徴とする。
【００１２】
請求項５記載の本発明の耐震支持具は、請求項１から４のいずれかに記載の耐震支持具であって、前記被支持体面側部具は、前記固定面側部具の幅方向の全体が前記押圧部の幅方向内に入るようにするために前記押圧部側面にガイド部を有することを主要な特徴とする。
【００１３】
請求項６記載の本発明の耐震支持具は、請求項１記載の耐震支持具であって、前記固定面側部具は、前記縦支持面部中央部にネジ穴部と、前記ネジ穴に締めこまれ前記固定面側部具と前記被支持体面側部具をネジ止めにより結合する頭部付きの結合ネジとを有し、前記被支持体面側部具は、前記押圧部の幅方向中央部に上方に開放され前記結合ネジを通して前記頭部を前記押圧部に対し固定面側部具の反対側に配置させるための係合溝部を有することを主要な特徴とする。
【００１４】
請求項７記載の本発明の耐震支持具は、請求項６記載の耐震支持具であって、前記縦クッション部は、前記結合ネジを通すための貫通孔を有し、前記押圧部と前記結合ネジ頭部との間にスペーサーを有することを主要な特徴とする。
【００１５】
請求項８記載の本発明の耐震支持具は、請求項１から７のいずれかに記載の耐震支持具であって、前記被支持体面側部具は、前記押圧部の上部分を前記固定面側部具が入る間隔が広くなるような傾斜部を有することを主要な特徴とする。
【００１６】
請求項９記載の本発明の耐震支持具は、請求項１から８のいずれかに記載の耐震支持具であって、前記ベース部の固定面側と対峙する辺縁に粘着固定又は接着固定の取り外しのために前記ベース部を前記被支持体面から引き離すためのベース部引き剥がしネジを設けたことを主要な特徴とする。
【００１７】
請求項１０記載の本発明の耐震支持具は、請求項１から９のいずれかに記載の耐震支持具であって、前記縦クッション部は、粘着固定させるための粘着固定面を有し、前記粘着固定面を保護するため、二つ折りにした一部を前記粘着固定面に接する保護部と、前記二つ折りの他部が前記保護部の端より長く延長されて前記保護部を粘着固定面から剥離する際のつまみ部として作用する剥離紙を有することを主要な特徴とする。
【００１８】
請求項１１記載の本発明の耐震支持具は、請求項１０の耐震支持具であって、前記剥離紙を一対備え、該一対の剥離紙は前記縦クッション部の中間部で前記二つ折りの折り線同士が対向するか又は一部重なって配され、前記つまみ部が前記粘着固定面の両側に突出することを特徴とする。
【００１９】
請求項１２記載の本発明の耐震支持具の取り付け方法は、壁面等の固定面に取り付ける固定面側部具と家具等の被支持体面に取り付ける被支持体面側部具とを備え、前記固定面側部具は、前記固定面に対向する縦支持面部と、前記被支持体面と前記被支持体面側部具を介して対向する横支持面部とが一体化された固定部と、前記縦支持面部に取り付けられて前記固定面に粘着固定させる縦クッション部と、前記横支持面部下部に取り付けられて前記被支持体面側部具に粘着固定又は接着固定させる横クッション部とを有し、前記縦クッション部は、粘着固定させるための粘着固定面と前記粘着固定面を保護するための剥離紙を有し、前記被支持体面側部具は、前記被支持体面と粘着固定、接着固定又はネジ止めさせるベース部と、前記ベース部から起立し前記縦支持面部を前記固定面に押し付ける押圧部と、この押圧部上端から前記固定面の反対側に横方向に延設され前記横クッション部を粘着固定又は接着固定させる天板部とを有する耐震支持具であって、前記ベース部を前記被支持体面に粘着固定、接着固定又はネジ止めして固定し、前記縦クッション部を前記固定面に押し付けて圧縮し、前記被支持体面側部具の前記押圧部と前記固定面の隙間に上部から滑り込ませ、前記固定面側部具の前記横クッション部を前記天板部に粘着固定又は接着固定させ、前記縦クッション部の前記剥離紙をはがすことにより、前記縦クッション部を前記固定面に粘着固定させることを最も主要な特徴とする。
【００２０】
請求項１３記載の本発明の耐震支持具の取り付け方法は、壁面等の固定面に取り付ける固定面側部具と家具等の被支持体面に取り付ける被支持体面側部具とを備え、前記固定面側部具は、前記固定面に対向する縦支持面部と、前記縦支持面部に取り付けられて前記固定面に粘着固定させる縦クッション部と、前記被支持体面側部具とを結合する結合ネジとを有し、前記縦クッション部は、粘着固定させるための粘着固定面と前記粘着固定面を保護するための剥離紙を有し、前記被支持体面側部具は、前記被支持体面と粘着固定、接着固定又はネジ止めさせるベース部と、前記ベース部から起立し前記縦支持面部を前記固定面に押し付ける押圧部と、前記押圧部の幅方向に上方に開放した係合溝部とを有する耐震支持具であって、前記ベース部を前記被支持体面に粘着固定、接着固定又はネジ止めして固定し、前記縦クッション部を前記固定面に押し付けて圧縮し、前記被支持体面側部具の前記押圧部と前記固定面の隙間に前記結合ネジが前記係合溝部に入るように上部から滑り込ませて前記固定面側部具と前記被支持体面側部具とを結合し、前記縦クッション部の前記剥離紙をはがすことにより、前記縦クッション部を前記固定面に粘着固定させることを最も主要な特徴とする。
【発明の効果】
【００２１】
請求項１記載の本発明の耐震支持具は、壁面等の固定面に取り付ける固定面側部具と家具等の被支持体面に取り付ける被支持体面側部具とを備えた耐震支持具であって、前記固定面側部具は、前記固定面に対向する縦支持面部と、前記縦支持面部に取り付けられて前記固定面に粘着固定又は接着固定させる縦クッション部とを有し、前記被支持体面側部具は、前記被支持体面と粘着固定、接着固定又はネジ止めさせるベース部と、前記ベース部から起立し前記縦支持面部を前記固定面に押し付ける押圧部とを有し、前記固定面側部具と前記被支持体面側部具との間に取付け時に結合可能とする結合部を設けたことを最も主要な特徴とする。
【００２２】
このため、被支持体面側部具の押圧部により固定面側部具の縦クッション部の粘着固定面に押圧力を作用させることが可能となり、結果として粘着力の強度が増し耐震強度が向上した。また、耐震支持具を被支持体面側部具と固定面側部具との二つの部材から構成することにより簡易に取り付けが可能となった。
【００２３】
請求項２記載の本発明の耐震支持具は、請求項１記載の耐震支持具であって、前記固定面側部具は、前記縦支持面部と、前記被支持体面と前記被支持体面側部具を介して対向する横支持面部とが一体化された固定部と、前記横支持面部下部に取り付けられて前記被支持体面側部具に粘着固定又は接着固定させる横クッション部とを有し、前記被支持体面側部具は、前記押圧部上端から前記固定面の反対側に横方向に延設され前記横クッション部を粘着固定又は接着固定させる天板部とを有することを主要な特徴とする。
【００２４】
このため、縦クッション部により主として水平方向の振動を、横クッション部により主として垂直方向の振動を吸収する、高い耐震性を有することが可能となった。
【００２５】
請求項３記載の本発明の耐震支持具は、請求項１又は２に記載の耐震支持具であって、前記被支持体面側部具は、前記押圧部の前記固定面方向に突設され、前記縦クッション部の押圧時の厚さを定める突き当て部を有することを主要な特徴とする。
【００２６】
このため、簡易に被支持体面側部具の取り付け位置を簡易に定めることができ、また最適な押圧部と固定面間の間隔を簡単に設定可能となった。
【００２７】
請求項４記載の本発明の耐震支持具は、請求項１から３のいずれかに記載の耐震支持具であって、前記被支持体面側部具は、前記横支持面部を前記固定面方向に押し付けるための前記天板部に起立形成された辺縁押圧部を有することを主要な特徴とする。
【００２８】
このため、前記固定面側部具の前記縦クッション部の粘着固定面全面に渡って均一な押圧力を作用させることが可能となり、結果として粘着強度が向上した。
【００２９】
請求項５記載の本発明の耐震支持具は、請求項１から４のいずれかに記載の耐震支持具であって、前記被支持体面側部具は、前記固定面側部具の幅方向の全体が前記押圧部の幅方向内に入るようにするために前記押圧部側面にガイド部を有することを主要な特徴とする。
【００３０】
このため、固定面側部具が押圧部からずれて設置されるミスが起こることがなくなった。
【００３１】
請求項６記載の本発明の耐震支持具は、請求項１記載の耐震支持具であって、前記固定面側部具は、前記縦支持面部中央部にネジ穴部と、前記ネジ穴に締めこまれ前記固定面側部具と前記被支持体面側部具をネジ止めにより結合する頭部付きの結合ネジとを有し、前記被支持体面側部具は、前記押圧部の幅方向中央部に上方に開放され前記結合ネジを通して前記頭部を前記押圧部に対し固定面側部具の反対側に配置させるための係合溝部を有することを主要な特徴とする。
【００３２】
このため、固定面側部具の中央部に配された結合ネジにより前記縦クッション部の粘着固定部を引き剥がす力が粘着固定面の全体にかかり、高い耐引き剥がし力を有することとなった。
【００３３】
請求項７記載の本発明の耐震支持具は、請求項６記載の耐震支持具であって、前記縦クッション部は、前記結合ネジを通すための貫通孔を有し、前記押圧部と前記結合ネジ頭部との間にスペーサーを有することを主要な特徴とする。
【００３４】
このため、固定面側部具を取り外す際の結合ネジのネジしろがスペーサーにより確保できるため、スペーサーを外して結合ネジをねじ込むことにより、容易に固定面側部具を取り外し可能となった。
【００３５】
請求項８記載の本発明の耐震支持具は、請求項１から７のいずれかに記載の耐震支持具であって、前記被支持体面側部具は、前記押圧部の上部分を前記固定面側部具が入る間隔が広くなるような傾斜部を有することを主要な特徴とする。
【００３６】
このため、固定面側部を設置する際に容易に下方に滑り込ませることが可能となった。
【００３７】
請求項９記載の本発明の耐震支持具は、請求項１から８のいずれかに記載の耐震支持具であって、前記ベース部の固定面側と対峙する辺縁に粘着固定又は接着固定の取り外しのために前記ベース部を前記被支持体面から引き離すためのベース部引き剥がしネジを設けたことを主要な特徴とする。
【００３８】
このため、簡易に被支持体面側部具の取り外しが可能となった。
【００３９】
請求項１０記載の本発明の耐震支持具は、請求項１から９のいずれかに記載の耐震支持具であって、前記縦クッション部は、粘着固定させるための粘着固定面を有し、前記粘着固定面を保護するため、二つ折りにした一部を前記粘着固定面に接する保護部と、前記二つ折りの他部が前記保護部の端より長く延長されて前記保護部を粘着固定面から剥離する際のつまみ部として作用する剥離紙を有することを主要な特徴とする。
【００４０】
このため、取り付けの際に縦クッション部の剥離紙をつけたまま設置可能となり、正確な位置に固定面側部を配置させることが可能となった。
【００４１】
請求項１１記載の本発明の耐震支持具は、請求項１０の耐震支持具であって、前記剥離紙を一対備え、該一対の剥離紙は前記縦クッション部の中間部で前記二つ折りの折り線同士が対向するか又は一部重なって配され、前記つまみ部が前記粘着固定面の両側に突出することを特徴とする。
【００４２】
このため、引き剥がす距離が半分となり、剥離紙の引き剥がしが容易に可能となった。
【００４３】
請求項１２記載の本発明の耐震支持具の取り付け方法は、壁面等の固定面に取り付ける固定面側部具と家具等の被支持体面に取り付ける被支持体面側部具とを備え、前記固定面側部具は、前記固定面に対向する縦支持面部と、前記被支持体面と前記被支持体面側部具を介して対向する横支持面部とが一体化された固定部と、前記縦支持面部に取り付けられて前記固定面に粘着固定させる縦クッション部と、前記横支持面部下部に取り付けられて前記被支持体面側部具に粘着固定又は接着固定させる横クッション部とを有し、前記縦クッション部は、粘着固定させるための粘着固定面と前記粘着固定面を保護するための剥離紙を有し、前記被支持体面側部具は、前記被支持体面と粘着固定、接着固定又はネジ止めさせるベース部と、前記ベース部から起立し前記縦支持面部を前記固定面に押し付ける押圧部と、この押圧部上端から前記固定面の反対側に横方向に延設され前記横クッション部を粘着固定又は接着固定させる天板部とを有する耐震支持具であって、前記ベース部を前記被支持体面に粘着固定、接着固定又はネジ止めして固定し、前記縦クッション部を前記固定面に押し付けて圧縮し、前記被支持体面側部具の前記押圧部と前記固定面の隙間に上部から滑り込ませ、前記固定面側部具の前記横クッション部を前記天板部に粘着固定又は接着固定させ、前記縦クッション部の前記剥離紙をはがすことにより、前記縦クッション部を前記固定面に粘着固定させることを最も主要な特徴とする。
【００４４】
このため、簡易に耐震支持具を取り付けることが可能となった。
【００４５】
請求項１３記載の本発明の耐震支持具の取り付け方法は、壁面等の固定面に取り付ける固定面側部具と家具等の被支持体面に取り付ける被支持体面側部具とを備え、前記固定面側部具は、前記固定面に対向する縦支持面部と、前記縦支持面部に取り付けられて前記固定面に粘着固定させる縦クッション部と、前記被支持体面側部具とを結合する結合ネジとを有し、前記縦クッション部は、粘着固定させるための粘着固定面と前記粘着固定面を保護するための剥離紙を有し、前記被支持体面側部具は、前記被支持体面と粘着固定、接着固定又はネジ止めさせるベース部と、前記ベース部から起立し前記縦支持面部を前記固定面に押し付ける押圧部と、前記押圧部の幅方向に上方に開放した係合溝部とを有する耐震支持具であって、前記ベース部を前記被支持体面に粘着固定、接着固定又はネジ止めして固定し、前記縦クッション部を前記固定面に押し付けて圧縮し、前記被支持体面側部具の前記押圧部と前記固定面の隙間に前記結合ネジが前記係合溝部に入るように上部から滑り込ませて前記固定面側部具と前記被支持体面側部具とを結合し、前記縦クッション部の前記剥離紙をはがすことにより、前記縦クッション部を前記固定面に粘着固定させることを最も主要な特徴とする。
【００４６】
このため、簡易に耐震支持具を取り付けることが可能となった。
【発明を実施するための最良の形態】
【００４７】
壁面に対する粘着力等の強度向上を行わせるという目的を、壁面等の固定面に固定する固定面側部具と家具等の被支持体面に固定する被支持体面側部具の二つの部材からなる構成にし、前記被支持体面側部具が前記固定面側部具を前記固定面に対して押圧力を作用させることにより実現した。また、前記二部具からなる構成により簡易な取り付け方法を可能とし、さらに、ネジを用いた引き剥がし部を用いることにより簡易に取り外し可能とした。
【実施例１】
【００４８】
［耐震支持具の構成］
図１から図３は、本発明の実施例１に係り、図１は、耐震支持具の断面図、図２は、同上面図、図３は、同下面図である。
【００４９】
図１から図３のように、耐震支持具１は、固定面側部具３と被支持体面側部具５とを備えており、壁面である固定面５１と家具の例であるロッカー５５の天板である被支持体面５３に取り付けられている。
【００５０】
固定面側部具３は、固定面５１と平行な縦支持面部７及び被支持体面５３と平行な横支持面部９とが、結合されて一体化した逆Ｌ字形構造をとる固定部４と、縦支持面部７に取り付けられて固定面５１に粘着固定又は接着固定させる縦クッション部１１と、横支持面部９の下部に取り付けられて被支持体面側部具５の天板部２７に粘着固定又は接着固定させる横クッション部１５とを有する。
【００５１】
ここで、前記天板部２７と前記横クッション部１５とが結合部として働く。
【００５２】
縦クッション部１１は、縦支持面部７と接着固定されており、その反対面側には、粘着固定させるための粘着固定部１３が貼り付けされている。粘着固定部１３は、使用前は剥離紙（詳細は取り付け方法にて後述）にて保護されている。
【００５３】
横クッション部１５は、横支持面部９と接着固定されており、その反対面側には、粘着固定させるための粘着固定部１７が貼り付けされている。粘着固定部１７は、使用前は剥離紙（詳細は取り付け方法にて後述）にて保護されている。
【００５４】
固定面側部具３は、成形されたプラスチック材料を用いているが、その他の木材や金属などの材料にて作製されていても良い。
【００５５】
縦クッション部１１及び横クッション部１５は、ポリウレタンによるスポンジを材料として用いられるが、ポリウレタン以外の樹脂材料によるスポンジ又は海綿を材料として用いても良いし、その他、ゴムや、シリコンゴム等のゲル材料等の粘弾性体を用いても良い。
【００５６】
被支持体面側部具５は、被支持体面５３と粘着固定、接着固定又はネジ止めさせるベース部１９と、ベース部から垂直に起立し、固定面側部具３の縦支持面部７を固定面５１に押し付ける押圧部２３と、押圧部２３上端から固定面５１から離れる方向に傾斜して、固定面側部具３が入る間隔が広がるような傾斜部２５と、傾斜部２５上端から水平方向に固定面５１から遠ざかる方向に延びた水平な天板部２７とを有する。
【００５７】
天板部２７の上面に固定面側部具３の横クッション部１５の粘着固定部１７が粘着固定される。
【００５８】
押圧部２３の下縁から固定面５１方向に、固定面側部具３が被支持体面側部具５と固定面５１によって挟まれる間隔を決める突き当て部２１（図３参照）が備わっている。突き当て部２１は、被支持体面側部具５の金属平板を曲げ加工する際に、押圧部２３となる部分の下部に逆Ｕ字状の切り欠きをつくり当該切り欠き部を曲げ加工せずにベース部から連続した突出部としてなるよう作製されている。
【００５９】
突き当て部２１は、上記のような方法以外にも突出部品を押圧部２３に取り付けることで作製する方法であっても良い。
【００６０】
ベース部１９の下面には、被支持体面側部具５を被支持体面５３に粘着固定させるための粘着固定部３５が貼り付けされており、粘着固定面３６によりロッカー５５に固定されている。
【００６１】
ベース部１９の押圧部２３と反対方向の辺縁部は、被支持体面側部具５を被支持体面５３から引き剥がすためのベース部引き剥がしネジ３１を取り付けるために逆Ｕ字状に曲げ加工されており、さらにベース部引き剥がしネジ３１を取り付けるためのバーリング加工２９が施されている。
【００６２】
ベース部１９には、被支持体面側部具５を被支持体面５３にネジ止め固定するためのネジ穴３７（図２，３）が４箇所ベース部１９の辺縁部に空けられている。
【００６３】
［耐震支持具の取り付け方法］
実施例１の耐震支持具１の取り付け方法は実施例２の取り付け方法と同じであるので、実施例２での取り付け方法の項でまとめて述べる。
【００６４】
［耐震支持具の取り外し方法］
実施例１の耐震支持具１の取り付け方法は実施例２の取り外し方法と同じであるので、実施例２での取り外し方法の項でまとめて述べる。
［耐震作用］
実施例１の耐震支持具１は、地震時等には、固定面５１等から伝達される振動入力を縦クッション部１１で主として水平方向の振動を又横クッション部１５で主として垂直方向の振動を吸収することが可能である。また、縦クッション部１１でも垂直方向の振動を吸収し、横クッション部１５でも水平方向の振動を吸収することも可能であるのはもちろんである。この振動吸収力により、ロッカー５５等の家具が大きく振動して壁面との衝突により倒れてしまうことを防止することが可能である。
【００６５】
地震では、一般に縦ゆれは小さく横揺れは大きい。横揺れすなわち水平方向の振動が大きいため、特に縦クッション部１１の粘着固定部１３に加わる力すなわち粘着固定力が問題となる。
【００６６】
本実施例の耐震支持具１では、地震による振動のない通常時に、被支持体面側部具５の押圧部２３が固定面側部具３を押し付ける作用（押圧力）によって、縦クッション部１１の粘着固定部１３の粘着強度が高まる。この強度は一定時間かけ続けられることにより強度がさらに強まって、地震時に振動により押圧力が開放されて縦クッション部１１が引き剥がされる方向に力が加わったとしても、それまでに粘着固定部１３に加わっていた押圧力によって、粘着強度が高まっているので、高い耐震力を得ることが可能となる。
【００６７】
［実施例１の効果］
実施例１の耐震支持具１により以下のことが可能となった。
【００６８】
実施例１の耐震支持具１は、固定面側部具３と被支持体面側部具５とのふたつ部材から構成されているために、すでに据付が完了してしまっている家具であっても、家具を動かすことなく家具の天板上に耐震支持具１を取り付けることが可能となった。
【００６９】
実施例１の耐震支持具１は、固定面に粘着固定される縦クッション部１１の粘着部１３が被支持体面側部具５の押圧部２３によって、固定面５１に圧力をかけて押さえつけられることにより、粘着固定力が増し、粘着強度が高まった。結果としてより強い耐震力をもつこととなった。
【００７０】
実施例１の耐震支持具１は、被支持体面側部具５の突き当て部２１により、固定面５１と押圧部２３とで挟まれる間隔を一定とすることが可能となるため、固定面側部具３を挿入するために前記間隔が広すぎて、粘着面１３が固定面５１に届かなかったり、前記間隔が狭すぎて必要以上の圧力がかかり過ぎてベース部１９下面側の粘着面がはがれてしまったりすることがなくなった。
【００７１】
実施例１の耐震支持具１は、被支持体面側部具５の押圧部２３上部に設けられた傾斜部２５により、固定面側部具３を固定面５１と押圧部２３との間の隙間に簡単にすべりこませることが可能となった。
【実施例２】
【００７２】
［耐震支持具の構成］
図４から図６は、本発明の実施例２に係り、図４は、耐震支持具１の断面図、図５は、同上面図、図６は、同下面図である。
【００７３】
実施例２と実施例１の耐震支持具の差異は大きくないので、実施例２の耐震支持具１の構成においては、その差異を中心に説明する。
【００７４】
実施例２は、実施例１での固定面側部具３の固定面にかかる圧力が粘着固定面１３の全面に渡ってより均一にかかるように考慮されて作成されたものである。
【００７５】
実施例２の耐震支持具１では、実施例１であった被支持体面側部具５の押圧部２３上端の傾斜部２５を無くし、垂直な押圧部２３から水平な天板部２７に至る部分が９０度の曲げ加工により繋がっている。これにより固定面側部具３に押圧力をかける面積が広がった。
【００７６】
さらに、被支持体面側部具５は、天板部２７の辺縁部を９０度上方に曲げ加工して、垂直上方に延びた辺縁押圧部２８を有する。辺縁押圧部２８は、固定面側部具３の横支持面部９の辺縁と当接し、押圧部２３と同じく固定面側部具３を固定面５１に向けて押圧する。
【００７７】
特に押圧部２３によっては力をかけることができない固定面側部具３の上方に力がかかるため、粘着固定部１３の粘着面１４全体にわたって均一な押圧力を作用させることが可能となった。
【００７８】
被支持体面側部具５の押圧部２３の上部に、その側面側から固定面５１方向に向けて突出したガイド部３０を設けた。このガイド部３０により、固定面側部具３を被支持体面側部具５の押圧部２３の面の幅内に正しく挿入することが可能となり、固定面側部具３が押圧部２３の面の幅から横方向にずれて取り付けることを防止することが可能となった。
【００７９】
ベース部１９下面に取り付けられる粘着固定部３５の面積を実施例１のようにベース部下面の押圧部２３と反対方向の辺縁部だけに存在するのではなく、ベース部１９下面のほぼ全面にわたって広げた。これにより被支持体面側部具５と被支持体面５３との粘着力が向上した。
【００８０】
［耐震支持具の取り付け方法］
図７から図９は、実施例２の耐震支持具１の取り付け方法を順に示した説明図である。以下に取り付け順に従って説明する。なお、実施例１の耐震支持具の取り付け方法も基本的には同じであり、実施例１では、辺縁押圧部２８が無いので固定面側部具３が辺縁押圧部２８に当接されることがないことと、固定面側部具３の挿入時に傾斜部２５を使って簡易に滑り込ませることができる点が異なるだけである。
【００８１】
図７（Ａ）では、まず被支持体面側部具５を粘着固定させるときは、ベース部下面の粘着固定部３５の粘着固定面３６の剥離紙をはがしておく。接着固定の場合は接着剤を塗布しておく。他にネジ止めする方法でもよい。図７（Ａ）のように被支持体面側部具５の突き当て部２１を固定面５１に当接させて、ロッカー５５の上方から降ろす。突き当て部２１が壁に当接することにより、固定面と押圧部との最適な間隔が形成される。
【００８２】
図７（Ｂ）に示すように、被支持体面側部具５がロッカーの天板に粘着固定される。固定方法は粘着固定以外の接着固定であっても良いし、また、ネジ穴３７を利用してのネジ止め固定の場合は、ここでネジ止め固定を行う。
【００８３】
図８（Ｃ）では、まず、横クッション部１５を被支持体面側部具５の天板部２７に粘着固定させるときは、その粘着面１８の剥離紙をはがしておく。接着固定の場合には、接着剤を塗布しておく。次に、固定面側部具３を矢印のように固定面５１に押し付けて、上方から降ろして行く。このとき押圧部２３側面のガイド部３０により、固定面側部具３が押圧部２３の面の幅内に収まるようにすることができる。
【００８４】
図８（Ｄ）に示すように、固定面側部具３の下方先端が固定面５１と押圧部２３との隙間に差し込まれるとそのまま下方に滑り込ませて行く。このとき、固定面側部具３の横支持面部９の辺縁部が辺縁押圧部２８に当接するようにして下方に下ろす。
【００８５】
図９（Ｅ）に示すように、固定面側部具３の横クッション部１５の粘着固定面１７が被支持体面側部具５の天板部２７の上面に粘着固定される。
【００８６】
図９（Ｆ）は、前記横クッション部１５の粘着固定が終了した段階での耐震支持具１を上方から観察した上面図である。この時点では、固定面側部具３の縦クッション部１１の粘着固定部１３の粘着固定面１４は、剥離紙４１で覆われていて、まだ固定されていない。
【００８７】
図１０に剥離紙４１の形状を示すための固定面５１側からみた耐震支持具１の背面図（図１０（Ａ））とロッカー５５側からみた耐震支持具１の正面図（図１０（Ｂ））を示す。
【００８８】
図１１に剥離紙４１の引き剥がしの様子を表す上面図を示す。
【００８９】
剥離紙４１は、二つ折りにされた一対の剥離紙４１が図９（Ｆ）に示すような、折線が縦クッション部１１の垂直方向の中心線にちょうど対向するように合わさっているか、又は、図１１（Ｃ）の上面図に示すように一部重なるように合わさっている。
【００９０】
剥離紙４１は、二つ折りにされた一部が縦クッション部１５の粘着固定面１４を保護する保護部４３となり、他の一部が剥離紙４をはがすときのつまみ点となるつまみ部４５とからなる。保護部４３は、粘着固定面１４の周縁よりやや大きく形成されており、つまみ部の先端部は、剥離紙をはがす前の時点（図９（Ｆ）又は図１１（Ｃ））でつまみやすいように、図１０（Ｂ）に示すように被支持体面側部具５の左右より大きく突出し、また先端部の高さ方向がやや短くなるような台形に形成されている。
【００９１】
耐震支持具１の取り付けが図９（Ｆ）又は図１１（Ｃ）に示すところまで完了した後、剥離紙４１のつまみ部４５をつまんで、図１１（Ｄ）に示すように左右に引き剥がす。
【００９２】
この動作により縦クッション部１１の粘着固定部１３の粘着固定面１４が固定面５１に接触して粘着固定され、取り付けが完了する。
【００９３】
［耐震支持具の取り外し方法］
図１２は、実施例２の耐震支持具１の取り外し方法を順に示した説明図である。以下に取り外し方法を説明する。なお、実施例１の耐震支持具の取り外し方法も同じである。
【００９４】
図１２（Ａ）で、ベース部引き剥がしネジ３１のネジを右回転させるとネジ先端はネジ先端回転座３３によってロッカー５５の被支持体面５３を押すため、結果としてベース部１９下面の粘着固定部３５の粘着面３６又は接着面が引き剥がされて、図１２（Ｂ）の状態となり被支持体面側部具５をロッカー５５からはがし、その後、固定面側部具３を壁面等の固定面５１から引き剥がすことにより、耐震支持具１を取り外すことが可能である。
【００９５】
また、被支持体面側部具５を取り外すために、ベース部引き剥がしネジ３１をとりつけるための逆Ｕ字状の曲げ加工部の両端をつかんで、被支持体面側部具５を水平に回転させるようにすると粘着面を外しやすくなる。この動作を前記したベース部引き剥がしネジ３１によるベース部の浮かせ動作と併用することにより、さらに容易に取り外しが可能である。
［耐震作用］
実施例２の耐震支持具の耐震作用は、実施例１で記載したものと同じであるので、省略する。
【００９６】
［実施例２の効果］
実施例２の耐震支持具１により以下のことが可能となった。
【００９７】
実施例２の耐震支持具１は、固定面側部具３と被支持体面側部具５とのふたつ部材から構成されているために、すでに据付が完了してしまっている家具であっても、家具を動かすことなく家具の天板上に耐震支持具１を取り付けることが可能となった。
【００９８】
実施例１の耐震支持具１は、被支持体面側部具５の押圧部２３と辺縁押圧部２８により固定面側部具３の全面にわたって均一に押圧力を作用させることが可能となった、これにより固定面５１に粘着固定させる粘着固定部１３の粘着固定力がより高まり、結果として耐震作用が高まった。
【００９９】
実施例２の耐震支持具１は、被支持体面側部具５の突き当て部２１により、固定面５１と押圧部２３とで挟まれる間隔を一定とすることが可能となるため、固定面側部具３を挿入するために前記間隔が広すぎて、粘着面１３が固定面５１に届かなかったり、前記間隔が狭すぎて必要以上の圧力がかかり過ぎてベース部１９下面側の粘着面３６がはがれてしまったりすることがなくなった。
【０１００】
実施例２の耐震支持具１は、被支持体面側部具５側面に設けられたガイド部３０により、固定面側部具３を被支持体面側部具５の押圧部２３の面内に正しく収めることが可能となり、固定面側部具３と被支持体面側部具５がずれて装着されることなどがなくなり、結果として耐震力のないまま装着されるミスを抑制した。
【実施例３】
【０１０１】
［耐震支持具の構成］
図１３から図１５は、本発明の実施例３に係り、図１３は、耐震支持具１の断面図、図１４は、同上面図、図１５は、同下面図である。
【０１０２】
実施例３と実施例１、２の耐震支持具の差異は大きくないので、実施例３の耐震支持具１の構成においては、その差異を中心に説明する。
【０１０３】
実施例３は、地震時に固定面側部具３が被支持体面側部具５によって振動が伝わる際に固定面側部具３の中心に振動力が伝わるよう考慮されて作成されたものである。
【０１０４】
実施例３の耐震支持具１では、固定面側部具３が実施例１、２のような逆Ｌ字形構造ではなく、平板の縦支持面部７と縦支持面部７に接着固定された縦クッション部１１とからなる矩形の平板構造とした。
【０１０５】
縦支持面部７は、鉄などの金属平板で作製されており、中央部に固定面とは反対側に浮き上がるエンボス部１０とエンボス部の中心に結合ネジ６１を取り付けるためのバーリング加工ネジ穴部１２（ネジ穴部）が空いている。
【０１０６】
ネジ穴部の構造は、バーリング加工に限らず、他のネジ穴の方法であってもよい。
【０１０７】
縦クッション部１１及び縦クッション部１１に粘着固定されている粘着固定部１３には、中央部に結合ネジ６１を通すための貫通孔８を有する。
【０１０８】
被支持体面側部具５は、実施例１、２のような天板部２７を無くし、押圧部２３の中央部の縦に上方に開放したＵ字状の係合溝部２４（図１７（Ａ）参照）を有する。
【０１０９】
固定面側部具３と被支持体面側部具５は、結合ネジ６１により結合される。結合ネジ６１、バーリング加工ネジ穴部１２及び係合溝部２４により結合部を形成する。
【０１１０】
この結合ネジ６１は、縦クッション部１１の粘着固定部１３を取り外すときのための引き剥がしネジとしても使用可能である。この結合ネジ６１による引き剥がしネジが固定面５１を押すためのネジしろを稼ぐため、結合時には逆Ｕ字状のスペーサー（図１７（Ｂ）参照）６５を押圧部２３と結合ネジ６１のネジ頭部の間に挟む。
【０１１１】
スペーサーの形状は逆Ｕ字状に限らず、他の形状、例えばリング形状であってもよい。また、スペーサー形状が被支持体面側部具５と一体化されている構造、例えば係合溝と同様に上方に開放したＵ字状に係合溝部２４と結合しているものであってもよい。
【０１１２】
実施例３の耐震支持具１では、固定面側部具３と被支持体面側部具５をつなぐ結合ネジ６１が固定面側部具３の中央に取り付けられているため、地震時の振動力が常に固定面側部具３の中央部にかかる。固定面側部具３は、固定面５１と粘着固定部１３により粘着固定されているが、このような粘着固定部は、一般に角部ないしは周縁の一端側から引っ張り力が加わると容易に剥がれ易いが、中央部ないしは全体に均一に引っ張り力が加わった場合には、先の場合に比べて非常にはがれにくい。本実施例３の耐震支持具１では、固定面側部具３の中央に配された結合ネジ６１の構造により粘着固定部１３の引き剥がしまでの耐力が高く、結果として大きな耐震力を有することが可能となった。
【０１１３】
［耐震支持具の取り付け方法］
実施例３の耐震支持具の取り付け方法は、実施例２の耐震支持具の取り付け方法と一部異なるので、その違いを中心に説明する。
【０１１４】
まず、被支持体面側部具５の固定に関しては、実施例２において、図７（Ａ）、（Ｂ）を用いて説明したのと同じであるので省略する。それ以降の固定面側部具３の取り付け方法について説明する。
【０１１５】
図１６及び図１７は、被支持体面側部具５の取り付け後における、固定面側部具３の取り付け方法を説明した図である。図１６は側面図、図１７は、ロッカー５５側から観察した背面図である。
【０１１６】
固定面側部具３には、結合ネジ６１が取り付けられており、ネジは取り付けのために、結合ネジのネジ頭（頭部）が縦クッション部１１から離れる方向に緩められている。
【０１１７】
粘着固定部１３は、剥離紙４１（図１７（Ａ）参照）で保護されている。
【０１１８】
図１６（Ａ）において、固定面側部具３を矢印のように固定面５１に押し付けて、上方から降ろして行く。このとき、係合溝部２４に結合ネジ６１のネジ軸がはまるようにする（図１７（Ａ）も参照）。
【０１１９】
図１６（Ｂ）及び図１７（Ｂ）は、結合ネジ６１が係合ネジ溝２４下端に達した図で、ここで、被支持体面側部具５の押圧部２３と結合ネジ６１のネジ頭（頭部）との間に、上方から逆Ｕ字状形状のスペーサー６５をはめて、結合ネジ６１を右回転して固定面側部具３を被支持体面側部具５に結合する。
【０１２０】
結合ネジ６１による結合の後は、剥離紙４１を引き剥がして、粘着固定部１３を粘着固定面に固定させるが、剥離紙の構造及びその剥離方法は、実施例２において図１１を用いて説明したのと全く同じであるので省略する。
【０１２１】
［耐震支持具の取り外し方法］
実施例３の耐震支持具１の取り外し方法について、被支持体面側部具５の取り外し方法は、実施例２において図１２を用いて説明したものと全く同じであるので省略する。
【０１２２】
実施例３では、さらに、固定面側部具３の取り外し方法について、結合ネジ６１を利用して容易に取り外しできる機構が備わっているので以下に説明する。
【０１２３】
図１８は、固定面側部具３の取り外し説明のための耐震支持具１を側面から見た断面図である。
【０１２４】
図１８（Ａ）は、耐震支持具１が取り付けられている状態である。
【０１２５】
ここで、まず結合ネジ６１を緩めて、ネジ頭（頭部）が固定面５１から遠ざかるようにする。
【０１２６】
図１８（Ｂ）において、結合ネジ６１のネジ頭（頭部）が緩んだので、スペーサー６５を上方に上げて取り外す。その後、実施例２において、説明した方法で被支持体面側部具５を取り外す。
【０１２７】
図１８（Ｃ）は、被支持体面側部具５が取り外された状態を示した図である。被支持体面側部具５の押圧部で固定面側にかかっていた押圧力がはずれたために、縦クッション部１１は、本来の厚みに戻り、中間の膨らみが消えている。
【０１２８】
ここで、結合ネジ６１を右回転させて固定面５１方向に進行させて、図１８（Ｄ）に示すように結合ネジ先端部に取り付けられた回転台座６３が固定面に突き当たる。回転台座６３と結合ネジ６１は回転方向に滑るようになっており、ネジが回転中も台座は回転せずに固定面５１を押し続ける。
【０１２９】
図１８（Ｅ）に示すように結合ネジ６１が固定面５１を押すことにより、縦クッション部１１が厚さ方向に延びて、粘着固定部１３に引き剥がしの力がかかる。
【０１３０】
最終的には、図１８（Ｆ）に示すように粘着固定部１３が固定面５１から引き剥がされて、固定面側部具３の取り外しも完了する。
［耐震作用］
実施例３の耐震支持具１は、地震時等には、固定面５１等から伝達される振動入力を縦クッション部１１で吸収することが可能である。この振動吸収力により、ロッカー５５等の家具が大きく振動して壁面との衝突により倒れてしまうことを防止することが可能である。
【０１３１】
地震では、一般に縦ゆれは小さく横揺れは大きい。横揺れすなわち水平方向の振動が大きいため、特に縦クッション部１１の粘着固定部１３に加わる力すなわち粘着固定力が問題となる。
【０１３２】
本実施例の耐震支持具１では、地震による振動のない通常時に、被支持体面側部具５の押圧部２３が固定面側部具３を押し付ける作用（押圧力）によって、縦クッション部１１の粘着固定部１３の粘着強度が高まる。この強度は一定時間かけ続けられることにより強度がさらに強まって、地震時に振動により押圧力が開放されて縦クッション部１１が引き剥がされる方向に力が加わったとしても、それまでに粘着固定部１３に加わっていた押圧力によって、粘着強度が高まっているので、高い耐震力を得ることが可能となる。
【０１３３】
さらに、地震時には振動による縦クッション部１１の粘着固定部１３を引き剥がそうとする力が、固定面側部具３の中央に配された結合ネジにより、固定面側部具の中央にかかるため、高い耐引き剥がし力を得ることができ、さらに高い耐震力を得ることが可能となった。
【０１３４】
［実施例３の効果］
実施例３の耐震支持具１により以下のことが可能となった。
【０１３５】
実施例２の耐震支持具１は、固定面側部具３と被支持体面側部具５とのふたつの部材から構成されているために、すでに据付が完了してしまっている家具であっても、家具を動かすことなく家具の天板上に耐震支持具１を取り付けることが可能となった。
【０１３６】
実施例３の耐震支持具１は、固定面側部具３の中央部に配されたエンボス部１０に対して、被支持体面側部具５の押圧部２３が押圧力をかける。これにより固定面５１に粘着固定させる粘着固定部１３の粘着固定力がより高まり、結果として耐震力が高まった。
【０１３７】
実施例３の耐震支持具１は、被支持体面側部具５の突き当て部２１により、固定面５１と押圧部２３とで挟まれる間隔を一定とすることが可能となるため、固定面側部具３を挿入するために前記間隔が広すぎて、粘着面１３が固定面５１に届かなかったり、前記間隔が狭すぎて必要以上の圧力がかかり過ぎてベース部１９下面側の粘着面３６がはがれてしまったりすることがなくなった。
【０１３８】
実施例３の耐震支持具１は、結合ネジ６１が固定面側部具３の中央に配されているため、地震時による引っ張り力による粘着固定部を引き剥がそうとする力に対して、高い耐引き剥がし力を有し、結果として高い耐震力を有することとなった。
【図面の簡単な説明】
【０１３９】
【図１】耐震支持具の断面図である。（実施例１）
【図２】耐震支持具の上面図である。（実施例１）
【図３】耐震支持具の下面図である。（実施例１）
【図４】耐震支持具の断面図である。（実施例２）
【図５】耐震支持具の上面図である。（実施例２）
【図６】耐震支持具の下面図である。（実施例２）
【図７】（Ａ）、（Ｂ）は耐震支持具の取り付け手順を示す側面図である。（実施例２）
【図８】（Ｃ）、（Ｄ）は耐震支持具の取り付け手順を示す側面図である。（実施例２）
【図９】耐震支持具の取り付け完了状態を示す側面図（Ｅ）及び上面図（Ｆ）である。（実施例２）
【図１０】耐震支持具の剥離紙の形状を示す正面図（Ａ）及び背面図（Ｂ）である。（実施例２）
【図１１】（Ｃ）、（Ｄ）は耐震支持具の剥離紙の剥離手順を示す上面図である。（実施例２）
【図１２】（Ａ）、（Ｂ）は耐震支持具の取り外し手順を示す側面図である。（実施例２）
【図１３】耐震支持具の断面図である。（実施例３）
【図１４】耐震支持具の上面図である。（実施例３）
【図１５】耐震支持具の下面図である。（実施例３）
【図１６】（Ａ）、（Ｂ）は耐震支持具の取り付け手順を示す側面図である。（実施例３）
【図１７】（Ａ）、（Ｂ）は耐震支持具の取り付け手順を示す背面図である。（実施例３）
【図１８】（Ａ）から（Ｆ）は耐震支持具の取り外し手順を示す断面図である。（実施例３）
【符号の説明】
【０１４０】
１  耐震支持具
３  固定面側部具
４  固定部
５  被支持体面側部具
７  縦支持面部
８  貫通孔
９  横支持面部
１１  縦クッション部
１２  バーリング加工ネジ穴部（ネジ穴部）（結合部）
１３  粘着固定部
１４  粘着固定面
１５  横クッション部（結合部）
１９  ベース部
２１  突き当て部
２３  押圧部
２５  傾斜部
２７  天板部（結合部）
２８  辺縁押圧部
３０  ガイド部
３１  ベース部引き剥がしネジ
３５  粘着固定部
４１  剥離紙
４３  保護部
４５  つまみ部
５１  壁面（固定面）
５３  ロッカー天板（被支持体面）
５５  ロッカー（家具）
６１  結合ネジ（結合部）
６５  スペーサー
【図１】
2010012023.tif 000003
【図２】
2010012023.tif 000004
【図３】
2010012023.tif 000005
【図４】
2010012023.tif 000006
【図５】
2010012023.tif 000007
【図６】
2010012023.tif 000008
【図７】
2010012023.tif 000009
【図８】
2010012023.tif 000010
【図９】
2010012023.tif 000011
【図１０】
2010012023.tif 000012
【図１１】
2010012023.tif 000013
【図１２】
2010012023.tif 000014
【図１３】
2010012023.tif 000015
【図１４】
2010012023.tif 000016
【図１５】
2010012023.tif 000017
【図１６】
2010012023.tif 000018
【図１７】
2010012023.tif 000019
【図１８】
2010012023.tif 000020